(57)【要約】【課題】複数の負荷のそれぞれに対して異なる休日を設定し、使い勝手を向上させる。【解決手段】負荷と接続する接続端子部６０ａ，６０ｂと、現在の日時を計時する計時部２と、接続端子部６０ａ，６０ｂに接続される負荷毎に、負荷をオンにする制御若しくはオフにする制御を行うための日時を制御日時として曜日毎に入力し、オン制御を禁止するための休日を入力する操作部３と、制御日時と負荷に対する制御内容との組み合わせからなるプログラムを作成する処理、休日を設定する処理を、接続端子部６０ａ，６０ｂに接続される負荷毎に有する制御回路１と、接続端子部６０ａ，６０ｂに接続される負荷毎に、現在の日付と休日とが一致した場合に、オン制御を禁止する制御回路１、出力制御回路６１ａ，６１ｂ及びリレー６２ａ，６２ｂとを備える。【選択図】図１
2006003279.tif 000002
【特許請求の範囲】
【請求項１】
負荷と接続する接続手段を複数備えるとともに、
現在の日付及び時刻からなる現在の日時を計時する計時手段と、
利用者が、前記各接続手段に接続される負荷毎に、前記負荷をオフからオンにする制御若しくは前記負荷をオンからオフにする制御を行うための日時を制御日時として曜日毎に入力するとともに、前記各接続手段に接続される負荷毎に、前記負荷をオフからオンにする制御を禁止するための休日を入力する操作手段と、
前記制御日時と前記負荷に対する制御内容との組み合わせからなるプログラムを作成するプログラム作成処理、及び前記休日を設定する休日設定処理を、前記各接続手段に接続される負荷毎に行う設定手段と、
前記プログラム及び前記休日を、前記各接続手段に接続される負荷毎に記憶する記憶手段と、
前記各接続手段に接続される負荷毎に、前記現在の日付と前記記憶手段に記憶されている休日とが一致するか否かの照合を行い、その照合が一致した場合に、前記現在の日時に対応する前記制御日時に組み合わされた制御内容が、前記負荷をオフからオンにする制御であれば、その制御を禁止する負荷制御手段と
を備えることを特徴とするプログラムタイムスイッチ。
【請求項２】
前記負荷制御手段は、前記照合が一致した場合に、前記現在の日時に対応する前記制御日時に組み合わされた制御内容が、前記負荷をオンからオフにする制御であれば、その制御を許容することを特徴とする請求項１記載のプログラムタイムスイッチ。
【請求項３】
前記負荷制御手段は、前記照合が一致した場合に、前記現在の日時に対応する前記制御日時に組み合わされた制御内容が、前記負荷をオンからオフにする制御であれば、その制御を禁止することを特徴とする請求項１記載のプログラムタイムスイッチ。
【請求項４】
前記記憶手段に記憶されている休日を表示する休日表示モードを、前記各接続手段に接続される負荷毎に切り替えるモード切替手段と、
前記モード切替手段により、前記接続手段のいずれかに接続される負荷の休日表示モードに切り替えられたときに、その負荷に対する休日をカレンダー上に表示するカレンダー表示手段と
を備えることを特徴とする請求項１〜３のいずれか記載のプログラムタイムスイッチ。
【請求項５】
前記負荷制御手段により前記照合が行われているときに、前記各接続手段に接続される負荷毎に、前記休日が設定されているか否かを表示する休日確認表示手段を備えることを特徴とする請求項１〜４のいずれか記載のプログラムタイムスイッチ。
【請求項６】
前記休日確認表示手段は、前記照合が一致した場合に、前記現在の日付と一致した休日が前記接続手段のいずれに接続される負荷に対して設定されているのかを表示することを特徴とする請求項５記載のプログラムタイムスイッチ。
【発明の詳細な説明】
【技術分野】
【０００１】
本発明は、例えば、年間など長期間にわたって、複数の負荷毎に制御を行うために用いられるプログラムタイムスイッチに関するものである。
【背景技術】
【０００２】
従来、この種のプログラムタイムスイッチは、例えば、特許文献１に示すように、複数の負荷に対して同一の休日を設定し、その設定された休日になったときに、すべての負荷に対する制御を禁止するものである。
【特許文献１】特開平１１−９４９６５号公報（第３頁−第５頁、及び、第２図）
【発明の開示】
【発明が解決しようとする課題】
【０００３】
しかしながら、上記従来のプログラムタイムスイッチなどは、複数の負荷に対して同一の休日しか設定することができず、負荷毎に休日を設定することができないので、使い勝手が悪いという問題があった。
【０００４】
本発明は上記の点に鑑みて為されたものであり、その目的とするところは、複数の負荷のそれぞれに対して異なる休日を設定することができ、使い勝手を向上させることができるプログラムタイムスイッチを提供することにある。
【課題を解決するための手段】
【０００５】
請求項１に記載の発明は、負荷と接続する接続手段を複数備えるとともに、現在の日付及び時刻からなる現在の日時を計時する計時手段と、利用者が、前記各接続手段に接続される負荷毎に、前記負荷をオフからオンにする制御若しくは前記負荷をオンからオフにする制御を行うための日時を制御日時として曜日毎に入力するとともに、前記各接続手段に接続される負荷毎に、前記負荷をオフからオンにする制御を禁止するための休日を入力する操作手段と、前記制御日時と前記負荷に対する制御内容との組み合わせからなるプログラムを作成するプログラム作成処理、及び前記休日を設定する休日設定処理を、前記各接続手段に接続される負荷毎に行う設定手段と、前記プログラム及び前記休日を、前記各接続手段に接続される負荷毎に記憶する記憶手段と、前記各接続手段に接続される負荷毎に、前記現在の日付と前記記憶手段に記憶されている休日とが一致するか否かの照合を行い、その照合が一致した場合に、前記現在の日時に対応する前記制御日時に組み合わされた制御内容が、前記負荷をオフからオンにする制御であれば、その制御を禁止する負荷制御手段とを備えることを特徴とする。
【０００６】
この構成では、複数の負荷のそれぞれに対して異なる休日を設定することができ、使い勝手を向上させることができる。
【０００７】
請求項２に記載の発明は、請求項１に記載の発明において、前記負荷制御手段は、前記照合が一致した場合に、前記現在の日時に対応する前記制御日時に組み合わされた制御内容が、前記負荷をオンからオフにする制御であれば、その制御を許容することを特徴とする。この構成では、休日となったときに負荷がオン状態であったとしても、負荷をオンからオフにする制御を行うことができるので、負荷を必要以上に連続動作させることを防止し、それにより負荷を安全に制御することができる。
【０００８】
請求項３に記載の発明は、請求項１に記載の発明において、前記負荷制御手段は、前記照合が一致した場合に、前記現在の日時に対応する前記制御日時に組み合わされた制御内容が、前記負荷をオンからオフにする制御であれば、その制御を禁止することを特徴とする。この構成では、休日に負荷を連続動作させておきたいときに用いることができる。
【０００９】
請求項４に記載の発明は、請求項１〜３のいずれかに記載の発明において、前記記憶手段に記憶されている休日を表示する休日表示モードを、前記各接続手段に接続される負荷毎に切り替えるモード切替手段と、前記モード切替手段により、前記接続手段のいずれかに接続される負荷の休日表示モードに切り替えられたときに、その負荷に対する休日をカレンダー上に表示するカレンダー表示手段とを備えることを特徴とする。この構成では、それぞれの接続手段に接続される負荷毎に設定された休日を、それぞれの接続手段に接続される負荷毎にカレンダーに表示させることができるので、それぞれの接続手段に接続される負荷毎の休日を容易に判別することができる。
【００１０】
請求項５に記載の発明は、請求項１〜４のいずれかに記載の発明において、前記負荷制御手段により前記照合が行われているときに、前記各接続手段に接続される負荷毎に、前記休日が設定されているか否かを表示する休日確認表示手段を備えることを特徴とする。この構成では、それぞれの接続手段に接続される負荷毎に休日が設定されているのか否かを容易に判別することができる。
【００１１】
請求項６に記載の発明は、請求項５に記載の発明において、前記休日確認表示手段は、前記照合が一致した場合に、前記現在の日付と一致した休日が前記接続手段のいずれに接続される負荷に対して設定されているのかを表示することを特徴とする。この構成では、現在の日付と休日が一致した負荷がどれであるのかを表示することにより、容易に判別することができる。
【発明の効果】
【００１２】
本発明によれば、複数の負荷のそれぞれに対して異なる休日を設定することができ、使い勝手を向上させることができる。
【発明を実施するための最良の形態】
【００１３】
先ず、基本的な構成について説明する。本実施形態のプログラムタイムスイッチは、図１に示すように、接続端子部６０ａに接続される負荷（以下「第１の負荷」という）、接続端子部６０ｂに接続される負荷（以下「第２の負荷」という）のそれぞれに対して、オフからオンにする制御及びオンからオフにする制御を行うものであり、制御回路１、計時部２、操作部３、表示部４、記憶部５、接続端子部６０ａ，６０ｂを器体７（図２参照）に備えている。また、上記プログラムタイムスイッチは、オフからオンにする制御を禁止し、オンからオフにする制御を許容する休日を設定することができる。
【００１４】
器体７は、図２に示すように、例えば、合成樹脂のような絶縁材料により形成された分電盤協約寸法として規格化された寸法及び形状を有し、ねじを用いて分電盤に取り付けるように取付孔７０，７０を備えている。器体７は、制御回路１（図１参照）及び計時部２（図１参照）を内部に、操作部３及び表示部４を正面中央付近に、接続端子部６０ａ，６０ｂ、及び商用電源（図示せず）と接続する電源端子８０ａを一端（図２の下端）に備える。
【００１５】
接続端子部６０ａ（６０ｂ）は、上記器体７の一端（図２の下端）に備えられ、第１の負荷（第２の負荷）と接続し、器体７の内部で、図１に示すように、リレー６２ａ（６２ｂ）と接続している。上記リレー６２ａ（６２ｂ）は、例えば、シングルスティブルリレー、２巻線ラッチリレーなどであり、第１の負荷（第２の負荷）の電力供給路（図示せず）に挿入され、出力制御回路６１ａ（６１ｂ）からの駆動電流により、第１の負荷（第２の負荷）をオンにしたり、オフにしたりするものである。
【００１６】
出力制御回路６１ａ（６１ｂ）は、例えばトランジスタなどを備えて構成され、後述する制御回路１からのリレー駆動用信号に基づいて、リレー６２ａ（６２ｂ）に駆動電流を出力する。ここで、リレー６２ａ（６２ｂ）がシングルスティブルリレーの場合には、出力制御回路６１ａ（６１ｂ）は、第１の負荷（第２の負荷）がオン状態である間中、常にオンの駆動信号をリレー６２ａ（６２ｂ）に出力する。これに対して、リレー６２ａ（６２ｂ）が２巻線ラッチリレーの場合には、出力制御回路６１ａ（６１ｂ）は、第１の負荷（第２の負荷）をオンにするとき、オンのパルス信号をリレー６２ａ（６２ｂ）に出力し、第１の負荷（第２の負荷）をオフにするとき、オフのパルス信号をリレー６２ａ（６２ｂ）に出力する。
【００１７】
電源８ａは、制御回路１、出力制御回路６１ａ，６１ｂと接続し、内部回路用の電源として商用電源（図示せず）を降圧整流し定電圧化したものである。停電補償電池８ｂは、例えばリチウム１次電池（ＥＲ３ＶＰ（ＤＣ３．６Ｖ、１０００ｍＡｈ）などであり、電源８ａの停電時には、制御回路１、出力制御回路６１ａ，６１ｂに電源を供給する。
【００１８】
計時部２は、システムクロック発振回路及び時計用クロック発振回路からなり、制御回路１と接続している。システムクロック発振回路は、例えばセラミック振動子を備え、マイクロコンピュータを動作するためのメインクロックを設定し、時計用クロック発振回路は、例えば水晶振動子を備え、サブクロックを設定し、そのサブクロックにより現在の日時（日付及び時刻）を計時し、制御回路１に出力している。計時部２は、停電状態になると、メインクロックを停止し、サブクロックで動作する。停電状態から通電状態になると、メインクロックを動作させる。なお、システムクロック発振回路及び時計用クロック発振回路のクロック周波数は限定されるものでなく、本実施形態では、システムクロック発振回路のクロック周波数を４．１９ＭＨｚ、時計用クロック発振回路のクロック周波数を３２．７６８ｋＨｚに設定している。
【００１９】
記憶部５は、例えばマイクロコンピュータのＲＡＭ（Ｒａｎｄｏｍ  Ａｃｃｅｓｓ  Ｍｅｍｏｒｙ）などであり、オン・オフ時刻データ記憶部５０ａ，５０ｂ、休日設定データ記憶部５１ａ，５１ｂから構成され、制御回路１と接続している。オン・オフ時刻データ記憶部５０ａ，５０ｂには、制御回路１の制御により、それぞれ第１の負荷、第２の負荷を制御する制御日時と、その日時に負荷をオンにするかオフにするかの制御内容とを組にしたプログラムが記憶され、休日設定データ記憶部５１ａ，５１ｂには、それぞれ第１の負荷、第２の負荷に対して設定された１３ヶ月分の休日設定データが記憶される。
【００２０】
操作部３は、制御回路１と接続し、図２に示すように、複数のスイッチ３０〜３９を器体７の正面に備えている。利用者は、第１の負荷、第２の負荷のそれぞれに対して、操作部３から、負荷をオフからオンにする制御若しくはオンからオフにする制御を行うための日時を制御日時として曜日毎に入力したり、休日を入力したりする。
【００２１】
スイッチ３０はリセットスイッチであり、何らかの異常が生じたときや設定内容をすべて消去するときに押操作すると、制御回路１（図１参照）はリセットする。スイッチ３１ａ（３１ｂ）は、３ポジションのスライドスイッチであって、第１の負荷（第２に負荷）に対する制御状態を、つまみ３１０ａ（３１０ｂ）によって切り替えるものである。
【００２２】
モード切替スイッチ３２は、動作モードを選択するときに操作されるものであり、モード切替スイッチ３２の押操作毎に、通常モード、時計モード、第１の負荷のプログラム作成モード、第２の負荷のプログラム作成モード、第１の負荷の休日表示・設定モード、第２の負荷の休日表示・設定モード、通常モードの順に動作モードを選択することができる。呼出スイッチ３３は、例えば、モード切替スイッチ３２により第１の負荷（第２の負荷）のプログラム作成モードを選択した後に、設定されたプログラムの内容を後述する主表示部４０に表示させるときに押操作されるものである。取消スイッチ３４は、例えば、プログラム若しくは休日を取り消すときに押操作されるものである。
【００２３】
スイッチ３５はサマータイム設定スイッチであり、サマータイム設定状態でないときに、サマータイム設定スイッチ３５を押操作すると現在の時刻が１時間進められ、サマータイム設定状態になる。反対に、サマータイム設定状態であるときに、サマータイム設定スイッチ３５を押操作すると現在の時刻が１時間遅れ、サマータイム設定状態が解除される。年月日・時刻スイッチ３６は、年及び時を設定する年／時スイッチ３６ａ、月及び分を設定する月／分スイッチ３６ｂ、日及び秒を設定する日／秒スイッチ３６ｃから構成され、年月日及び時刻を入力するときに操作されるものである。
【００２４】
休日選択スイッチ３７は、休日の設定、追加、解除を行うときに押操作されるものである。設定スイッチ３８は、例えば、プログラムを記憶部５に記憶するときに押操作されるものである。曜日スイッチ３９は、各曜日毎に対応するスイッチから構成され、曜日を選択するときに押操作されるものである。曜日スイッチ３９の押操作毎に、後述する曜日表示部４０４の対応する曜日の点灯（選択）、消灯（非選択）を切り替える。
【００２５】
表示部４は、主表示部４０、電源表示ランプ４１及び出力表示ランプ４２ａ，４２ｂからなり、制御回路１（図１参照）と接続している。主表示部４０は、例えば液晶ディスプレーであり、モード表示部４００、入切表示部４０１、時計表示部４０２、サマータイム設定表示部４０３、曜日表示部４０４、カレンダー表示部４０５により構成され、制御回路１からの制御に基づいて所定の内容を表示する。
【００２６】
モード表示部４００は、三角形状のマーク４００ａ〜４００ｇを配列し、動作モードを表示している。各マーク４００ａ〜４００ｇはそれぞれ器体７に表記された文字（「通常」、「時計」、「出力１」、「出力２」、「休日１」、「休日２」、「モニター」）に対応付けられ、順に、通常モード、時計モード、第１の負荷のプログラム作成モード、第２の負荷のプログラム作成モード、第１の負荷の休日表示・設定モード、第２の負荷の休日表示・設定モード、モニターモードを表している。モード切替スイッチ３２を押操作する毎に、選択した動作モードに対応付けられたマークを表示する。
【００２７】
また、通常モードであるときに、モード表示部４００は、図５に示すように、マーク４００ａを点灯させて通常モードであることを表示するとともに、マーク４００ｅ（４００ｆ）を点灯させて第１の負荷（第２の負荷）に対する休日が設定されていることを表示する。このとき、マーク４００ｅ（４００ｆ）が消灯していると、第１の負荷（第２の負荷）に対する休日が設定されていないことを表している。例えば、図５では、マーク４００ｅが点灯し、マーク４００ｆが消灯しているので、第１の負荷に対する休日が設定され、第２の負荷に対する休日が設定されていないことを表している。
【００２８】
さらに、現在の日付と休日との照合が一致した場合に、モード表示部４００は、図６に示すように、マーク４００ｅ（４００ｆ）を点滅させることにより、その休日が第１の負荷（第２の負荷）に対して設定されているものであることを表示する。このとき、マーク４００ｅ（４００ｆ）が点灯したままでは、上記休日が第１の負荷（第２の負荷）に対して設定されたものではないことを表している。例えば、図６では、マーク４００ｆが点滅し、マーク４００ｅは点灯したままであるので、現在の日付が第２の負荷に対する休日と一致し、第１の負荷に対する休日とは一致していないことを表している。
【００２９】
入切表示部４０１は、図２に示すように、プログラム作成モードにおいて、負荷をオフからオンにする制御日時を入力するときには「入」を表示し、負荷をオンからオフにする制御日時を入力するときには「切」を表示する。時計表示部４０２は、年月日及び時分を状況に応じて切り替えて表示する。サマータイム設定表示部４０３は、サマータイム設定時に「＋１ｈ」を表示し、サマータイム設定が解除されると表示されない。曜日表示部４０４は、各曜日を表示する。
【００３０】
カレンダー表示部４０５は、日付を表示するとともに、それぞれの日付を囲む枠を点灯若しくは点滅により表示する。また、カレンダー表示部４０５は、第１の負荷（第２の負荷）に対する休日表示・設定モードであるときに、図４に示すように、第１の負荷（第２の負荷）対する休日を囲む枠を点灯させて、その休日をわかりやすく表示する。例えば、図４は２００３年５月のカレンダーであり、１，３，４，５，１０，１５，２５日を第１の負荷に対する休日として設定されていることを表している。
【００３１】
電源表示ランプ４１は、図２に示すように、例えば発光ダイオードなどであり、電源８ａ（図１参照）から給電されているときに点灯し、給電が中止されると消灯することで、通電状態を表示する。出力表示ランプ４２ａ（４２ｂ）は、例えば発光ダイオードなどであり、第１の負荷（第２の負荷）がオン状態であるときに点灯し、第１の負荷（第２の負荷）がオフ状態にあるときに消灯することで、それぞれ第１の負荷（第２の負荷）の状態を表示する。
【００３２】
制御回路１は、図１に示すように、例えばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ及び各種ポートからなるマイクロコンピュータの一部分であり、計時部２、操作部３、表示部４、記憶部５、出力制御回路６１ａ，６１ｂと接続している。
【００３３】
制御回路１は、第１の負荷をオンにする制御及びオフにする制御を行うするためのリレー駆動用信号を出力制御回路６１ａに出力し、第２の負荷をオンにする制御及びオフにする制御を行うためのリレー駆動用信号を出力制御回路６１ｂに出力することにより、第１の負荷、第２の負荷をそれぞれ独立に制御する。なお、制御回路１は、リレー６２ａ，６２ｂがシングルスティブルリレー若しくは２巻線ラッチリレーであっても対応できるように、シングルスティブルリレー駆動用信号を出力する出力端子を１つ、２巻線ラッチリレー駆動用信号を出力する出力端子２つ１組を、出力制御回路６１ａ，６１ｂ毎に備えている。シングルスティブルリレー駆動用信号は、負荷をオン状態にしている間、継続してオン出力する信号であり、２巻線ラッチリレー駆動用信号は、負荷をオンにするときに出力するパルス状のオン信号パルス、負荷をオフにするときに出力するパルス状のオフ信号パルスからなる信号である。
【００３４】
また、制御回路１は、電源８ａ、停電補償電池８ｂとも接続し、停電検出ポート（図示せず）において、通電及び停電状態を一定周期（例えば５００ｍ秒）で監視している。停電状態になると、停電補償電池８ｂから電力が供給され、出力制御回路６１ａ，６１ｂに第１の負荷及び第２の負荷をオフにする制御を行うためのリレー駆動用信号を出力し、上記負荷をオフ状態に保持する。反対に、停電状態から通電状態になったとき、制御回路１は、先ず、リレー駆動用信号の出力以外の機能をすべて復帰させる。リレー駆動用信号の出力機能は通電状態になってから３秒後に復帰し、制御回路１は、プログラム及びスライドスイッチ３１ａ，３１ｂ（図２参照）の状態を読み込み、それに基づいてリレー駆動用信号を出力制御回路６１ａ，６１ｂに出力する。
【００３５】
制御回路１は、第１の負荷、第２の負荷のそれぞれに対して、スライドスイッチ３１ａ，３１ｂ（図２参照）の切り替え操作によりマニュアル操作を行う。上記マニュアル操作には、連続動作と一時動作とがあり、連続動作では、スライドスイッチ３１ａ（３１ｂ）のつまみ３１０ａ（３１０ｂ）を「入」に合わせると、制御回路１は、プログラムの制御内容に優先して第１の負荷（第２の負荷）を常にオン状態にし、つまみ３１０ａ（３１０ｂ）を「切」に合わせると、プログラムの制御内容に優先して第１の負荷（第２の負荷）を常にオフ状態にする。これに対して、一時動作では、つまみ３１０ａ（３１０ｂ）を「入」にした後に「自動」に合わせると、制御回路１は、最初に実行されるプログラムまでの間、一時的に第１の負荷（第２の負荷）をオン状態にし、つまみ３１０ａ（３１０ｂ）を「切」にした後に「自動」に合わせると、最初に実行されるプログラムまでの間、一時的に第１の負荷（第２の負荷）をオフ状態にする。
【００３６】
制御回路１は、第１の負荷、第２の負荷のそれぞれに対して、操作部３から入力された制御日時及びその制御日時での制御内容とを組み合わされた一週間周期のプログラムを１つ若しくは複数（例えば第１の負荷、第２の負荷のそれぞれに対して３０プログラムまで）作成し、それを記憶部５に記憶させる処理を行う。また、制御回路１は、第１の負荷、第２の負荷のそれぞれに対して、操作部３から休日を入力し、例えば、当月と翌月から１年間の計１３ヶ月間の休日を設定し、休日設定データとして記憶部５に記憶させる処理を行う。なお、上記プログラムの作成において、最小設定単位及び最小設定間隔は限定されるものではなく、用途に応じて設定すればよい。本実施形態では、最小設定単位を１分、最小設定間隔を１分間としている。
【００３７】
制御回路１は、第１の負荷、第２の負荷のそれぞれにおいて、現在の日付が休日と一致するか否かの照合を行う。上記照合が一致していない場合、制御回路１は、現在の日時が制御日時と一致すると、その制御日時と組み合わされた制御内容に基づいて、第１の負荷（第２の負荷）を制御するように、出力制御回路６１ａ（６１ｂ）にリレー駆動用信号を出力する。上記照合が一致した場合、休日中は、現在の日時が制御日時と一致したとしても、第１の負荷（第２の負荷）をオフからオンにする制御内容のときはリレー駆動用信号を出力制御回路６１ａ（６１ｂ）に出力せず、第１の負荷（第２の負荷）をオンからオフにする制御内容のときのみ、リレー駆動用信号を出力制御回路６１ａ（６１ｂ）に出力する。
【００３８】
次に、第１の負荷、第２の負荷のそれぞれに対するプログラムの作成について図２を用いて説明する。先ず、モード切替スイッチ３２の押操作により第１の負荷のプログラム作成モードにする。次に、曜日スイッチ３９により曜日を入力し、続いて年／時スイッチ３６ａ、月／分スイッチ３６ｂにより第１の負荷をオンにする時、分を入力する。設定スイッチ３８を押すと、制御回路１（図１参照）は、オンにする制御を行う時刻を記憶部５（図１参照）に記憶させる。続いて第１の負荷をオフにする制御を行う時刻を上記オンにする制御を行う時刻の設定と同様にして設定し記憶部５に記憶させることで、制御日時と負荷に対する制御内容との組み合わせに基づいた一週間周期のプログラムを作成する。そして、上記の操作を繰り返し、複数のプログラムを作成する。すべてのプログラムの作成が終了したら、モード切替スイッチ３２を押して通常モードにし、プログラムの作成を終了する。次に、第２の負荷に対するプログラムを作成する場合は、先ず、モード切替スイッチ３２の押操作により第２の負荷のプログラム作成モードにし、その後は第１の負荷の場合と同様の操作を行う。上記により、第１の負荷、第２の負荷のそれぞれに対してプログラムを作成することができる。
【００３９】
第１の負荷、第２の負荷のそれぞれに対する休日の設定について説明する。先ず、モード切替スイッチ３２の押操作により第１の負荷の休日表示・設定モードにする。次に、日／秒スイッチ３６ｃを押して、時計表示部４０４に表示される日付を順に移行させる。そして、休日にする日を時計表示部４０２及びカレンダー表示部４０５に表示させ、その状態で休日選択スイッチ３７を押す。上記の操作を繰り返し、その月の最終日までの休日を設定する。その月の休日の設定を完了したあとに、設定スイッチ３８を押すと、時計表示部４０２及びカレンダー表示部４０４は翌月を表示するので、同様にして、休日を設定する。全ての休日を設定した後に、モード切替スイッチ３２を押して通常モードにし、休日の設定を終了する。次に、第２の負荷に対する休日を設定する場合は、先ず、モード切替スイッチ３２の押操作により第２の負荷の休日表示・設定モードにし、その後は第１の負荷の場合と同様の操作を行う。上記により、第１の負荷、第２の負荷のそれぞれに対して休日を設定することができる。
【００４０】
次に、本実施形態のプログラムタイマスイッチの動作について図３を用いて説明する。図３では、時間に対して、プログラムの制御内容（図３の「設定」）及び負荷に対する出力（図３の「出力」）を示している。先ず、制御回路１（図１参照）は、第１の負荷、第２の負荷のそれぞれにおいて、現在の日付が休日と一致するか否かの照合を行う。現在の日付が休日と一致していない場合、現在の日時が、負荷をオフからオンにする制御を行う制御日時と一致すると（図３（ａ）の（ａ１））、出力制御回路６１ａ（６１ｂ）（図１参照）にオン信号のリレー駆動用信号を出力する。出力制御回路６１ａ（６２ｂ）は、リレー駆動用信号に基づいてオン電流の駆動電流をリレー６２ａ（６２ｂ）（図１参照）に出力し、リレー６２ａ（６２ｂ）はその駆動電流に基づいて第１の負荷（第２の負荷）をオンにする。また、現在の日時が、負荷をオンからオフにする制御を行う制御日時と一致すると（図３（ａ）の（ａ２））、出力制御回路６１ａ（６１ｂ）にオフ信号のリレー駆動用信号を出力する。出力制御回路６１ａ（６２ｂ）は、リレー駆動用信号に基づいてオフ電流の駆動電流をリレー６２ａ（６２ｂ）に出力し、リレー６２ａ（６２ｂ）はその駆動電流に基づいて第１の負荷（第２の負荷）をオフにする。
【００４１】
これに対して、現在の日付が休日と一致した場合について説明する。現在の日付が休日と一致したときに負荷がオフ状態であると、たとえ現在の日時が制御日時と一致したとしても（図３（ａ）の（ａ３））、プログラムの制御内容を無視し、負荷をオフ状態に保持したままである。これに対して、図３（ｂ）に示すように、現在の日付が休日と一致したときに負荷がオン状態であると、現在の日時が負荷をオンからオフにする制御内容の制御日時と一致した時点で（図３（ｂ）の（ｂ１））、その負荷をオンからオフにする制御を行う。このようにすると、休日において、負荷が必要以上に連続運転することを防止することができる。
【００４２】
以上、本実施形態によれば、第１の負荷、第２の負荷のそれぞれに対して異なる休日を設定することができ、使い勝手を向上させることができる。また、休日となったときに負荷がオン状態であったとしても、負荷をオンからオフにする制御を行うことができるので、負荷を必要以上に連続動作させることを防止し、それにより負荷を安全に制御することができる。
【００４３】
第１の負荷、第２の負荷のそれぞれに対して、休日が設定されているのか否かを表示することができ、その設定された休日をカレンダーに表示させることができるので、第１の負荷、第２の負荷のそれぞれに対する休日を容易に判別することができる。また、現在の日付と休日が一致したときに、その休日が設定されている負荷がどれであるのかを表示することにより、容易に判別することができる。
【００４４】
なお、本実施形態の変形例として、休日において、負荷をオフからオンにする制御だけでなく、負荷をオンからオフにする制御を禁止してもよい。この場合、現在の日付が休日と一致したときに、負荷がオン状態であれば、休日中は常にオン状態を保持する。例えば、負荷がセキュリティシステムであり、人が不在となる日を休日に設定した場合に、上記セキュリティシステムを常にオン状態にしておくことができる。
【図面の簡単な説明】
【００４５】
【図１】本発明による実施形態のプログラムタイムスイッチのブロック図である。
【図２】同上のプログラムタイムスイッチの正面図である。
【図３】同上のプログラムタイムスイッチにおいて、休日の動作を説明するものであって、（ａ）はプログラムが日を渡らずに設定されている場合の図、（ｂ）はプログラムが日を渡って設定されている場合の図である。
【図４】同上のプログラムタイムスイッチにおいて、休日表示・設定モードでの主表示部を表す図である。
【図５】同上のプログラムタイムスイッチにおいて、休日が設定されている場合の通常モードでの主表示部を表す図である。
【図６】同上のプログラムタイムスイッチにおいて、現在の日付が休日と一致した場合の通常モードでの主表示部を表す図である。
【符号の説明】
【００４６】
１  制御回路
２  計時部
３  操作部
４  表示部
５  記憶部
６０ａ，６０ｂ  接続端子部
【図１】
2006003279.tif 000003
【図２】
2006003279.tif 000004
【図３】
2006003279.tif 000005
【図４】
2006003279.tif 000006
【図５】
2006003279.tif 000007
【図６】
2006003279.tif 000008